(57)【要約】【課題】  文字信号が重畳された映像信号に基づく映像を、その映像とアスペクト比が異なる映像表示領域に表示するに際し、前記表示信号に基づく情報の目視性を可及的に向上させる。【解決手段】  ４：３のアスペクト比を有するビデオカメラの液晶パネル３１に、間引き表示を行って１６：９の映像を表示していても、文字情報が多くかつ文字の重要度の高い、メニュー設定画面に移行するという条件では、液晶パネル３１の画面の間引き表示を自動的に解除する。これにより、間引かれて見づらくなっていた文字をユーザが判別することが可能になり、ユーザは、容易に設定を進めることが可能になる。【選択図】  図１
2005303377.tif 000002
【特許請求の範囲】
【請求項１】
ｍ：ｎ（ｍとｎは自然数）のアスペクト比の映像表示領域を有する表示手段と、
前記映像表示領域に、間引き処理を行わずに映像を表示させる処理を行うか、あるいは間引き処理を行って映像を表示させる処理を行うかを選択する表示形態選択手段と、
前記映像表示領域に映像を表示させるための映像信号に文字信号を重畳する文字合成手段とを有し、
前記表示形態選択手段は、前記間引き処理を行って映像を表示させる処理を行うことを選択した場合に、前記文字合成手段により文字信号が重畳された映像信号に基づく映像を表示させるようにする場合には、前記間引き処理を行って映像を表示させる処理から、前記間引き処理を行わずに映像を表示させる処理に切り替えることを特徴とする映像表示装置。
【請求項２】
前記文字合成手段により文字信号が重畳された映像信号に基づく映像を表示させるか否かをユーザが指示するための１つのボタンスイッチを有し、
前記表示形態選択手段は、前記１つのボタンスイッチがユーザにより押されると、前記間引き処理を行って映像を表示させる処理から、前記間引き処理を行わずに映像を表示させる処理に切り替えることを特徴とする請求項１に記載の映像表示装置。
【請求項３】
前記文字合成手段により文字信号が重畳された映像信号に基づく映像は、映像表示装置の設定画面を含むことを特徴とする請求項１又は２に記載の映像表示装置。
【請求項４】
前記映像表示領域は、４：３のアスペクト比を有し、
前記間引き処理を行って表示させる映像は、１６：９のアスペクト比を有することを特徴とする請求項１〜３の何れか１項に記載の映像表示装置。
【請求項５】
ｍ：ｎ（ｍとｎは自然数）のアスペクト比の映像表示領域に、間引き処理を行わずに映像を表示させる処理を行うか、あるいは間引き処理を行って映像を表示させる処理を行うかを選択する表示形態選択ステップと、
前記映像表示領域に映像を表示させるための映像信号に文字信号を重畳する文字合成ステップとを有し、
前記表示形態選択ステップは、前記間引き処理を行って映像を表示させる処理を行うことを選択した場合に、前記文字合成ステップにより文字信号が重畳された映像信号に基づく映像を表示させるようにする場合には、前記間引き処理を行って映像を表示させる処理から、前記間引き処理を行わずに映像を表示させる処理に切り替えることを特徴とする映像表示方法。
【請求項６】
ｍ：ｎ（ｍとｎは自然数）のアスペクト比の映像表示領域に、間引き処理を行わずに映像を表示させる処理を行うか、あるいは間引き処理を行って映像を表示させる処理を行うかを選択する表示形態選択ステップと、
前記映像表示領域に映像を表示させるための映像信号に文字信号を重畳する文字合成ステップとをコンピュータに実行させ、
前記表示形態選択ステップは、前記間引き処理を行って映像を表示させる処理を行うことを選択した場合に、前記文字合成ステップにより文字信号が重畳された映像信号に基づく映像を表示させるようにする場合には、前記間引き処理を行って映像を表示させる処理から、前記間引き処理を行わずに映像を表示させる処理に切り替えることを特徴とするコンピュータプログラム。
【発明の詳細な説明】
【技術分野】
【０００１】
本発明は、映像表示装置、映像表示方法、及びコンピュータプログラムに関し、特に、文字信号が重畳された映像信号に基づく映像を、その映像とアスペクト比が異なる映像表示領域に表示するために用いて好適なものである。
【背景技術】
【０００２】
ＤＶ（Digital Video）フォーマットを用いたビデオカメラにおいては、１６：９モードを選択して撮影すると、４：３の撮像素子の上下領域の映像信号が切り捨てられて、縦方向に伸びた映像が出力される。
このような映像を、近年普及してきた縦横画面比率が１６：９のワイドテレビで再生する時は、横に引き伸ばされ１６：９の画面で正しく表示される。
【０００３】
また、このビデオカメラの撮影時と再生時には、ビデオカメラに設置されている液晶パネルで映像を確認することができるが、この液晶パネルは、一般的に４：３のアスペクト比を持つハーフライン構成であり、約２２５本程度の水平ラインを有している。特許文献１で提案されている技術では、液晶駆動回路を工夫して、このような液晶パネルにＮＴＳＣ規格の１６：９映像を表示する際に、走査線４本に１本の割合で映像信号（水平ライン）を間引くことによってワイド表示を実現している。このような液晶駆動方式では、液晶パネルに入力する信号には手を加えることなく、液晶駆動回路の対応のみでワイド表示を実現でき、様々なシステムに対応することが可能となっている。
【０００４】
ところが、前記の液晶駆動方式では、映像信号に重畳された文字情報やアイコンなども、映像信号の間引きによって欠落してしまうという問題がある。そのため、図４に示すメニュー画面４０のように、文字表示の横線が間引かれることになり、非常に見づらくなっていた。
【０００５】
同様に、前記のＮＴＳＣ用の液晶パネルに、ＰＡＬ規格の映像を表示する際にも、６本に１本の割合で映像信号を間引いて表示している。このため、文字の一部が間引かれて、見づらくなるという問題がある。そこで考案されたのが、特許文献２で提案されている技術であり、かかる技術では、文字情報やアイコンが間引きラインに重なったときには、映像信号の間引き動作を制御することで、文字などの一部が抜けてしまうことを防止するようにしている。
【０００６】
【特許文献１】特開平７−２９４８８３号公報
【特許文献２】特開平９−３２２０２５号公報
【発明の開示】
【発明が解決しようとする課題】
【０００７】
しかしながら、特許文献２で提案されている技術では、間引きの割合が高くなると対応できず、特に、ＰＡＬ規格の１６：９映像を前記のＮＴＳＣ用のパネルに表示する場合、もともと６本に１本の割合で間引いており、それを１６：９映像として表示するためには、最終的に８本に３本の割合で映像信号が間引かれることになるため、新しい手法が求められている。
特に、図４に示すように、ビデオカメラの各種設定を行うメニュー画面４０では、文字の判別が困難になり、使用者に不便を感じさせていた。
【０００８】
本発明は、このような問題に鑑みてなされたものであり、文字信号が重畳された映像信号に基づく映像を、その映像とアスペクト比が異なる映像表示領域に表示するに際し、前記文字信号に基づく情報の目視性を可及的に向上させることを目的とする。
【課題を解決するための手段】
【０００９】
本発明の映像表示装置は、ｍ：ｎ（ｍとｎは自然数）のアスペクト比の映像表示領域を有する表示手段と、前記映像表示領域に、間引き処理を行わずに映像を表示させる処理を行うか、あるいは間引き処理を行って映像を表示させる処理を行うかを選択する表示形態選択手段と、前記映像表示領域に映像を表示させるための映像信号に文字信号を重畳する文字合成手段とを有し、前記表示形態選択手段は、前記間引き処理を行って映像を表示させる処理を行うことを選択した場合に、前記文字合成手段により文字信号が重畳された映像信号に基づく映像を表示させるようにする場合には、前記間引き処理を行って映像を表示させる処理から、前記間引き処理を行わずに映像を表示させる処理に切り替えることを特徴とする。
【００１０】
本発明の映像表示方法は、ｍ：ｎ（ｍとｎは自然数）のアスペクト比の映像表示領域に、間引き処理を行わずに映像を表示させる処理を行うか、あるいは間引き処理を行って映像を表示させる処理を行うかを選択する表示形態選択ステップと、前記映像表示領域に映像を表示させるための映像信号に文字信号を重畳する文字合成ステップとを有し、前記表示形態選択ステップは、前記間引き処理を行って映像を表示させる処理を行うことを選択した場合に、前記文字合成ステップにより文字信号が重畳された映像信号に基づく映像を表示させるようにする場合には、前記間引き処理を行って映像を表示させる処理から、前記間引き処理を行わずに映像を表示させる処理に切り替えることを特徴とする。
【００１１】
本発明のコンピュータプログラムは、ｍ：ｎ（ｍとｎは異なる自然数）のアスペクト比の映像表示領域に、間引き処理を行わずに映像を表示させる処理を行うか、あるいは間引き処理を行って映像を表示させる処理を行うかを選択する表示形態選択ステップと、前記映像表示領域に映像を表示させるための映像信号に文字信号を重畳する文字合成ステップとをコンピュータに実行させ、前記表示形態選択ステップは、前記間引き処理を行って映像を表示させる処理を行うことを選択した場合に、前記文字合成ステップにより文字信号が重畳された映像信号に基づく映像を表示させるようにする場合には、前記間引き処理を行って映像を表示させる処理から、前記間引き処理を行わずに映像を表示させる処理に切り替えることを特徴とする。
【発明の効果】
【００１２】
本発明によれば、ｍ：ｎのアスペクト比の映像表示領域に、間引き処理を行って映像を表示させる処理を行うことを選択した場合に、文字信号が重畳された映像信号に基づく映像を表示させるようにする場合には、前記間引き処理を行って映像を表示させる処理から、前記間引き処理を行わずに映像を表示させる処理に切り替えるようにしたので、前記文字信号が重畳された映像信号に基づく映像を、その映像とアスペクト比が異なる映像表示領域に間引き処理して表示した場合であっても、その間引き処理により見づらくなっていた文字信号に基づく情報を、容易に且つ確実にユーザに判別させることができる。
【発明を実施するための最良の形態】
【００１３】
以下、本発明の実施の形態を、図面を参照して説明する。
先ず、本実施の形態に係る映像表示装置の一例であるビデオカメラの構成を図１に基づき説明する。ビデオカメラは、被写体を撮影すると共にその映像信号を生成するカメラブロック部１と、カメラブロック部１から供給された映像信号を処理するビデオ処理回路２と、カメラブロック部１からビデオ処理回路２を介して供給された映像信号を記録する記録装置５と、ビデオ処理回路２からの映像信号に基づいた画像を表示する表示装置３と、カメラブロック部１、ビデオ処理回路２、記録装置５、及び表示装置３の動作制御を行うシステム制御ブロック４とを備えて構成されている。
【００１４】
上記各部の構成を詳述すると、カメラブロック部１は、レンズ１１と、絞り１２と、電荷結合素子からなる撮像素子１３と、Ｓ／Ｈ（Ｓample Ｈold）回路１４と、ＡＧＣ（Automatic Gain Control）回路１５と、カメラ信号処理回路１６とを備えている。
【００１５】
撮像素子１３は、レンズ１１及び絞り１２を介して被写体の撮像情報を取り込み、Ｓ／Ｈ回路１４へ供給する。Ｓ／Ｈ回路１４は、撮像素子１３からの出力信号を順次サンプリングし、ＡＧＣ回路１５へ供給する。ＡＧＣ回路１５は、Ｓ／Ｈ回路１４からの出力信号の利得調整を行い、カメラ信号処理回路１６へ供給する。カメラ信号処理回路１６は、映像信号を生成し、ビデオ処理回路２へ供給する。
【００１６】
ビデオ処理回路２は、カメラブロック部１のカメラ信号処理回路１６から供給された映像信号のＶＴＲ信号処理を行い、記録装置５と表示装置３へ供給する。記録装置５は、映像信号を記録媒体に記録する記録動作や記録媒体に記録した映像信号の再生動作を行う。ビデオ処理回路２内の文字生成回路２１は、システム制御ブロック４の制御に基づき文字やアイコンなどのキャラクタパターンを生成し、記録装置５及び表示装置３へ供給する映像信号にキャラクタパターンを重畳する。
【００１７】
表示装置３は、液晶パネル３１と、バックライト３３と、液晶駆動回路部３２とを備えている。
液晶パネル３１は、カメラブロック部１からビデオ処理回路２を介して供給された映像信号を表示する。尚、液晶パネル３１の表示領域は、システム制御ブロック４からの切り替え信号により、液晶駆動回路３２内の間引き処理部３２ａを制御することで、通常の画面モード（４：３）と間引き処理によるワイド画面モード（１６：９）を切り替えられるようになっている。バックライト３３は、液晶パネル３１を照明する。液晶駆動回路部３２は、液晶パネル３１、及びバックライト３３を駆動制御する。
【００１８】
システム制御部４は、カメラブロック部１、ビデオ処理回路２、記録装置５、及び表示装置３の動作制御を行うものである。システム制御ブロック４は、液晶パネル３１における各モード表示を制御する。システム制御部４は、例えば、制御プログラムなどが記録されたＲＯＭと、前記制御プログラムを実行するＣＰＵと、前記ＣＰＵが前記制御プログラムを実行する際のワークエリアなどとなるＲＡＭとを備えたマイクロコンピュータなどにより実現される。
【００１９】
次に、本実施の形態に係るビデオカメラにより被写体を撮影した場合の液晶パネル３１への表示動作について、図２のフローチャートを使って説明する。
撮影者がビデオカメラにより被写体を撮影すると、カメラブロック部１のカメラ信号処理回路１６で映像信号が生成される。その後、ビデオ処理回路２で必要な処理が行われ、記録装置５に映像信号が記録される。また、表示装置３の液晶パネル３１には、映像信号に基づいた画像が表示される。また、液晶パネル３１には、撮影者に撮影状況を知らせる文字やアイコン（図柄）等が表示される。
【００２０】
カメラブロック１では、システム制御ブロック４の制御により、通常の画面モード（４：３）とワイド画面モード（１６：９）とを切り替えることが可能である。
ユーザが４：３モードを選択して撮影すると、カメラブロック１は通常の４：３の映像信号を出力する。
【００２１】
ビデオ処理回路２は、この映像に所定の処理を行い、文字生成回路２１で生成した文字キャラクタパターンを重畳した映像を表示装置３に出力すると共に、文字キャラクタパターンを重畳していない映像を記録装置５に出力する。記録装置５はこの映像を記録する。映像信号が４：３であることから、システム制御ブロック４は、表示装置３に対して、液晶パネル３１での表示方法を通常の画面モードに切り替える要求を送る（ステップＳ２、Ｓ６）。これにより、液晶駆動回路３２は液晶パネルを間引き無しで通常通り駆動する（ステップＳ７）。このとき、液晶パネル３１に表示される文字キャラクタパターンは、間引かれていないため、ユーザは、文字キャラクタパターンをはっきりと識別できる。
【００２２】
一方、ユーザが１６：９モードを選択して撮影すると、カメラブロック１は、カメラ信号処理回路１６内のアスペクト比変換部の処理において、４：３の撮像素子の上下領域の映像信号を切り捨て、縦方向に伸びた映像をビデオ処理回路２に出力する。
ビデオ処理回路２は、この縦方向に伸びた映像に所定の処理を行い、文字生成回路２１で生成した文字キャラクタパターンを重畳した映像を表示装置３に出力すると共に、キャラクタパターンを重畳していない映像を記録装置５に出力する。記録装置５はこの縦方向に伸びた映像を記録する。
【００２３】
映像信号が１６：９であることから、システム制御ブロック４は、表示装置３に対して、液晶パネル３１での表示方法を間引き処理によるワイド画面表示に切り替える要求を送る（ステップＳ２、Ｓ３）。これにより、液晶駆動回路３２は、液晶パネル３１を間引き処理で駆動する（ステップＳ５）。このとき、液晶パネル３１に表示される文字キャラクタパターンは、間引かれているため、文字の横線が一部欠落し、見づらいものとなっているが、通常の撮影時には画面内の文字情報やアイコンは量が少なく、ユーザは４：３モードでも使っているため、ある程度表示内容を覚えることができ、大きな問題にはならない。
【００２４】
ここで、問題となる１６：９モードでのビデオカメラの設定メニュー画面を開いた時の動作を説明する。
図３のように、例えば、カメラ設定メニューにおける設定メニュー画面３０には、ビデオカメラのカメラとしての設定項目、すなわち、シャッター速度、デジタルズームの切り替え、及び手ぶれ補正の入／切、などが表示される。この設定メニュー画面３０では、文字情報量が多く、かつ重要であるため、間引きによって文字の横線が欠落するなどすると、文字の表示品位が低下し、問題が生じる。
【００２５】
そこで、ユーザは、ビデオカメラ本体のメニュースイッチ６を操作する（ステップＳ４）。特に、本実施形態では、ユーザはメニュースイッチ６に設定された１つの押しボタンスイッチを押す動作をする。このとき、設定メニュー画面が開いていない場合は、システム制御ブロックからの要求に従い、液晶駆動回路３２は、設定メニュー画面３０を開く（ステップＳ８→ステップＳ１０）。そして、システム制御ブロック４は、表示装置３に対し、間引き処理によるワイド画面モードから通常の画面モードに切り替える要求を送る（ステップＳ１１）。
【００２６】
ワイド画面モード（１６：９）モードでの撮影時には、カメラ信号処理部１６から縦長の画像が供給される。ビデオ処理回路２は、縦長の画像に文字キャラクタパターンを重畳する。システム制御ブロック４は、表示装置３に対し、間引きによるワイド表示要求を出す。これにより液晶駆動回路３２は、液晶パネルを間引き無しで通常通り駆動する（ステップＳ７）。このとき、液晶パネル３１に表示される文字キャラクタパターンは、図３に示すように、間引かれていないため、ユーザは、文字キャラクタパターンをはっきりと識別できる。ただし、メニューの文字の下に表示されるカメラブロック１で撮影された映像は縦長で表示されるが、ユーザは設定行為を行うために設定メニュー画面を開いたわけであり、大きな問題にはならない。
【００２７】
この状態（ステップＳ１０→ステップＳ１１→ステップＳ７）から、ユーザにより再度メニュースイッチ６に設定されたボタンスイッチが押されると（ステップＳ４→ステップＳ８）、液晶駆動回路３２は、システム制御ブロック４からの要求に従って、設定メニュー画面３０を閉じて（ステップＳ９）、液晶パネル３１を間引き処理で駆動し（ステップＳ５）、間引きしたワイド表示を行うことができる。
【００２８】
以上のように本実施の形態では、４：３のアスペクト比を有するビデオカメラの液晶パネル３１に、間引き表示を行って１６：９の映像を表示していても、表示文字やアイコンなどの文字情報が多くかつ文字の重要度の高い、メニュー設定画面に移行するという条件では、液晶パネル３１の画面の間引き表示を自動的に解除することによって、間引かれて見づらくなっていた文字をユーザが判別することが可能になり、ユーザは容易に設定を進めることが可能になる。
【００２９】
また、ユーザが、メニュースイッチ６に設定された１つの押しボタンスイッチを押す動作をするだけで、間引きしたワイド表示（１６：９）と、間引きなしの通常（４：３）表示とを自動的に切り替えることができるようにしたので、ビデオカメラの操作性をより一層向上させることができ、ユーザは各種設定を容易に行うことができる。
【００３０】
（本発明の他の実施形態）
上述した実施形態の機能を実現するべく各種のデバイスを動作させるように、該各種デバイスと接続された装置あるいはシステム内のコンピュータに対し、前記実施形態の機能を実現するためのソフトウェアのプログラムコードを供給し、そのシステムあるいは装置のコンピュータ（ＣＰＵあるいはＭＰＵ）に格納されたプログラムに従って前記各種デバイスを動作させることによって実施したものも、本発明の範疇に含まれる。
【００３１】
また、この場合、前記ソフトウェアのプログラムコード自体が上述した実施形態の機能を実現することになり、そのプログラムコード自体、及びそのプログラムコードをコンピュータに供給するための手段、例えば、かかるプログラムコードを格納した記録媒体は本発明を構成する。かかるプログラムコードを記憶する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００３２】
また、コンピュータが供給されたプログラムコードを実行することにより、上述の実施形態の機能が実現されるだけでなく、そのプログラムコードがコンピュータにおいて稼働しているＯＳ（オペレーティングシステム）あるいは他のアプリケーションソフト等と共同して上述の実施形態の機能が実現される場合にもかかるプログラムコードは本発明の実施形態に含まれることは言うまでもない。
【００３３】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって上述した実施形態の機能が実現される場合にも本発明に含まれることは言うまでもない。
【図面の簡単な説明】
【００３４】
【図１】本発明の実施の形態を示し、ビデオカメラの内部構成の一例を示すブロック図である。
【図２】本発明の実施の形態を示し、ビデオカメラの動作の一例を示すフローチャートである。
【図３】本発明の実施の形態を示し、ビデオカメラでメニュー設定画面に移行した時の文字表示を含む画面表示の一例を示す図である。
【図４】従来の技術を示し、ビデオカメラでメニュー設定画面に移行した時の文字表示を含む画面表示の一例を示す図である。
【符号の説明】
【００３５】
１  カメラブロック
３  表示装置
４  システム制御ブロック
５  記録装置
６  メニュースイッチ
１１  レンズ
１２  絞り
１３  撮像素子
１４  Ｓ／Ｈ回路
１５  ＡＧＣ回路
１６  カメラ信号処理回路
１６ａ  アスペクト比変換部
２  ビデオ処理回路
２１  文字生成回路
３１  液晶パネル
３２  液晶駆動回路
３２ａ  間引き処理部
３３  バックライト
【図１】
2005303377.tif 000003
【図２】
2005303377.tif 000004
【図３】
2005303377.tif 000005
【図４】
2005303377.tif 000006